(57)【要約】      （修正有）【課題】ロール紙を引き出す際に、ロール紙の先端を掴むことが容易で、さらにロール紙の取り替えと切断が容易な、ロール紙ホルダーを提供する。【解決手段】横置きにしたロール紙本体Ｒが回転可能なロール紙収納スペースを形成し、そのロール紙収納スペース上方の前方に前蓋１０を設け、その前蓋１０の後方から上方にロール紙を引き出して、前蓋１０の前縁に設けた切断刃１１によりロール紙を切断することで、ロール紙先端部Ｒｓが前蓋１０の上面に載る構造とする。さらにロール紙収納スペース上方の後方を軸に回動する後蓋２０を設けて、その前縁が前記前蓋１０の上面に載ったロール紙先端部Ｒｓを自らの重量で押圧して、ロール紙を切断する際にロール紙が引き出されない構造とする。前蓋１０と後蓋２０は、ロール紙収納スペース上方が開口可能に取り付けられ、その開口した上方から、ロール紙本体Ｒを交換する構造とする。【選択図】図１
0003183166.tif 000002
【実用新案登録請求の範囲】
【請求項１】
横置きにしたロール紙本体の、下方と横四方を囲うロール紙収納スペースを形成し、そのロール紙収納スペース上方が開口可能に取り付けられ、前縁に鋸歯状で上向きの切断刃を設けた前蓋を備え、さらに前記ロール紙収納スペース上方の後方を軸に回動し、その前縁が前記前蓋の上面を自らの重量で押圧する、後蓋を備えることを特徴とするロール紙ホルダー。
【請求項２】
前記ロール紙収納スペース側面又は前面に、縦長の切り欠け溝を備えることを特徴とする、請求項１に記載のロール紙ホルダー。
【考案の詳細な説明】
【技術分野】
【０００１】
ロール紙を使用する際に、必要量を引き出して切断するための、ロール紙ホルダーに関する。
【背景技術】
【０００２】
ロール紙の先端を掴みやすくするためのロール紙ホルダーは、ロール紙本体から離れた位置でロール紙を切断して、ロール紙の先端が垂れ下がるタイプ文献１、又はロール紙を蓋の外側に引き出すタイプ文献２文献３文献４などが提案されている。
【先行技術文献】
【特許文献】
【０００３】
【特許文献１】特開2009-078137
【特許文献２】特開2005-102909
【特許文献３】特開2008-167891
【特許文献４】特開2012-143324
【考案の概要】
【考案が解決しようとする課題】
【０００４】
一般的に使用されている従来のロール紙ホルダーは、ロール紙本体上方の蓋を、ロール紙本体に圧し付けてロール紙を切り取るため、ロール紙先端がロール紙本体と密着して、次に使用する際に、ロール紙先端が掴みにくいという不便さがある。
【０００５】
この不便さを解決するためのロール紙ホルダーが提案されているが、ロール紙の装着や切断に難点がある。
【０００６】
以上の問題点を解決するために、複雑な構造のロール紙ホルダーも提案されているが、本考案は、シンプルな構造でこの問題点を解決することを課題とする。
【課題を解決するための手段】
【０００７】
横置きにしたロール紙本体が回転可能なロール紙収納スペースを形成し、そのロール紙収納スペース上方の前方に前蓋を設ける。
【０００８】
前蓋の前縁に、上向きで鋸歯状の切断刃を設ける。
【０００９】
ロール紙収納スペース上方の後方を軸に回動し、その前縁が前記前蓋の上面を、自らの重量で押圧する後蓋を設ける。
【００１０】
前蓋と後蓋は、ロール紙収納スペース上方が開口可能に取り付けられる。
【考案の効果】
【００１１】
ロール紙先端部を前蓋の後方から上方に引き出し、前蓋前縁の切断刃により切断することで、ロール紙先端部がロール紙本体と分離して前蓋上面に載るため、次に使用する際に容易に先端を掴むことができる。
【００１２】
前蓋上面に載ったロール紙先端部を後蓋が押圧する摩擦力により、ロール紙を切断する際にロール紙が引き出されることなく、片手でもロール紙の切断が可能である。
【００１３】
上方を開口したロール紙収納スペースに、先端部を延ばしたロール紙を投入し、前蓋及び後蓋を閉口するだけで、容易にロール紙の装着が完了する。
【００１４】
前蓋及び後蓋の上面が、常に略水平を保つため、引き出したロール紙を折り返して、前蓋及び後蓋の上面に仮置きできるので、片手でもロール紙の折り畳みが可能である。
【００１５】
ロール紙収納スペース内に収納された使用量が少なく大きなロール紙本体は、上方から手を入れて取り出すことが困難であるが、ロール紙収納スペース側面又は前面に設けた切り欠け溝から、指を挿入してロール紙を持ち上げることで、取出しが容易になる、又切り欠け溝からロール紙の残量確認が容易にできる。
【図面の簡単な説明】
【００１６】
【図１】左側面図である。
【図２】ロール紙収納スペース上方が開口時の左側面図である。
【図３】前面図である。
【図４】上面図である。
【図５】全体の斜視図である。
【図６】前蓋の斜視図である。
【図７】後蓋の斜視図である。
【図８】側板の斜視図である。
【図９】U字形底板の斜視図である。
【実施例】
【００１７】
図に示したプラスチック材料による、トイレットペーパーホルダーの作成実施例について説明する。
【００１８】
図1の左側面図において、ロール紙本体Rが収納されているスペースの中央を中心として、切断刃11の位置を、水平方向において前方、垂直方向において上方とし、それぞれ反対方向を後方と下方として説明する。
【００１９】
本実施例は、前蓋10、後蓋20、左側板30ａ、右側板30ｂ、U字形底板40により形成される。
【００２０】
図6は前蓋10の斜視図である、前蓋10は切断刃11と前蓋スライド軸12ａ及び12ｂを設けた板体であり、ロール紙先端部Rsをその上面に載せる機能を有する、又前蓋スライド軸12ａ及び12ｂが、側板に設けた前蓋スライド溝32a及び32b内を前後にスライドし、ロール紙収納スペース上方が開口可能に取り付けられる。
【００２１】
図7は後蓋20の斜視図である、後蓋20は、後蓋回動軸21ａ及び21ｂを設けた板体である、後蓋回動軸21ａ及び21ｂを軸に回動し、前蓋10の上面に載ったロール紙先端部Rsを、自らの重量で押圧する機能を有する、その押圧する摩擦力により、ロール紙を切断する際にロール紙の引き出しを防止して、片手による切断を可能にする、又風等によりロール紙先端部Rsがロール紙収納スペース内へ落ち込んでしまうことを防止する、したがって後蓋20は、ロール紙を引き出す際と切断する際を考慮して、適切な重量とすることが望ましい、又後蓋回動軸21ａ及び21ｂを軸に回動し、ロール紙収納スペース上方が開口可能に取り付けられる。
【００２２】
図8は左側板30a及び右側板30bの斜視図である、左側板30a及び右側板30bは、切り欠け溝31a及び31b、前蓋スライド溝32a及び32b、後蓋回動軸穴33a及び33bを設けた板体である、切り欠け溝31a及び31bは、ロール紙本体Rを取り出す際に、ロール紙本体Rを持ち上げるための指の挿入口である、又ロール紙残量の確認機能を有する、前蓋スライド溝32a及び32bは、前蓋スライド軸12a及び12bを支える、後蓋回動軸穴33a及び33bは、後蓋回動軸21a及び21bを支える。
【００２３】
図9はU字形底板40の斜視図である、U字形底板40は、U字形の板体であり、左側板30a及び右側板30bと共に、横置きにしたロール紙本体Rが、回転可能な広さのロール紙収納スペースを形成するものである、ロール紙本体Rとの接触面がU字形のため、ロール紙本体Rの回転が滑らかになる。
【００２４】
以下は図に示した実施例の使用方法について説明する。
【００２５】
ロール紙を装着する際は、前蓋10後蓋20を閉じた図1の状態から、前蓋10後蓋20を開口した図2の状態にして、ロール紙先端部Rsを切断刃11の位置まで延ばしたロール紙本体Rを、ロール紙収納スペース内へ投入する、ロール紙先端部Rsが前蓋10の上面に載るようにして前蓋10をスライドさせて閉じる、次に後蓋20を閉じて装着が完了する。
【００２６】
ロール紙を使用する際は、前蓋10の上面に載ったロール紙先端部Rsを指で掴んで斜め上方向に引き出し、ロール紙の切断したい箇所を切断刃11に当て、ロール紙先端部Rsを下方に引いて切断する。
【００２７】
ロール紙を片手で折り畳む際は、引き出したロール紙を折り返して前蓋10及び後蓋20の上面に仮置きする、仮置きしたロール紙の前端を掴みロール紙を引き出して折り返す、この動作を繰り返すことで折り畳むことが出来る。
【００２８】
使用量が少なく大きなロール紙本体Rは、上方から手を入れて持ち上げることが困難であるので、切り欠け溝31a又は31bから指を挿入して、ロール紙本体Rを持ち上げて取り出す。
【符号の説明】
【００２９】
10  前蓋
11  切断刃
12a、12b  前蓋スライド軸
20  後蓋
21a、21b  後蓋回動軸
30a  左側板
30b  右側板
31a、31b  切り欠け溝
32a、32b  前蓋スライド溝
33a、33b  後蓋回動軸穴
40  Ｕ字形底板
R  ロール紙本体
Rs  ロール紙先端部
【図１】
0003183166.tif 000003
【図２】
0003183166.tif 000004
【図３】
0003183166.tif 000005
【図４】
0003183166.tif 000006
【図５】
0003183166.tif 000007
【図６】
0003183166.tif 000008
【図７】
0003183166.tif 000009
【図８】
0003183166.tif 000010
【図９】
0003183166.tif 000011